(57)【要約】【課題】外部記憶媒体に変更された設定パラメータを書き込むことができ、また外部記憶媒体ドライブの寿命を長く保つことができる構内交換機を提供することを目的とする。【解決手段】外部記憶媒体へファイルデータの書き込み可能な記憶媒体ドライブ手段を有する構内交換機であって、設定パラメータデータを記憶する第１の記憶手段と、入力手段への操作に基づいて、設定パラメータデータの内容の変更を行うデータ処理手段と、データ処理手段により設定パラメータデータを所定量以上変更したと判定すると、第１の記憶手段に記憶された設定パラメータデータを外部記憶媒体へ記憶するデータ保存処理手段とを備えた。【選択図】  図１
2004282588.tif 000002
【特許請求の範囲】
【請求項１】
外部記憶媒体へファイルデータの書き込み可能な記憶媒体ドライブ手段を有する構内交換機であって、
設定パラメータデータを記憶する第１の記憶手段と、
入力手段への操作に基づいて、前記設定パラメータデータの内容の変更を行うデータ処理手段と、
前記データ処理手段により前記設定パラメータデータを所定量以上変更したと判定すると、前記第１の記憶手段に記憶された設定パラメータデータを前記外部記憶媒体へ記憶するデータ保存処理手段と
を備えたことを特徴とする構内交換機。
【請求項２】
前記データ保存処理手段は、前記第１の記憶手段に記憶された設定パラメータデータを前記外部記憶媒体へ記憶するときに、第２のファイル名で記憶した後、前記外部記憶媒体に記憶している第１のファイル名の設定パラメータデータを削除するとともに、前記第２のファイル名の設定パラメータデータを第１のファイル名にファイル名を変更することを特徴とする請求項１に記載の構内交換機。
【請求項３】
前記データ処理手段が、外部のコンピュータ装置若しくは内線電話機から表示されたプログラミング画面から設定パラメータデータの内容変更を行ったと判定した場合、前記データ処理手段により前記設定パラメータデータを所定量以上変更しても、データ保存処理手段は、前記第１の記憶手段に記憶された設定パラメータデータを前記外部記憶媒体へ記憶しないことを特徴とする請求項２に記載の構内交換機。
【請求項４】
前記データ処理手段が、外部のコンピュータ装置若しくは内線電話機に表示されたプログラミング画面から設定パラメータデータの内容変更を行ったと判定した場合、データ保存処理手段は、前記設定パラメータデータの内容変更の操作が終了したと判定したときに、前記第１の記憶手段に記憶された制御パラメータデータを前記外部記憶媒体へ記憶することを特徴とする請求項３に記載の構内交換機。
【発明の詳細な説明】
【０００１】
【発明の属する技術分野】
本発明は、外部記憶媒体からデータファイルを読み込み可能な記憶媒体ドライブ手段を備えた構内交換機に関するものである。
【０００２】
【従来の技術】
従来、構内交換機において、ユーザ毎のサービス機能を決定するためのシステムデータなどの設定パラメータデータは、構内交換機のＲＡＭ等の読み書き可能な記憶手段に記憶されていた。また、この設定パラメータデータをＩＣカードなどのメモリーカードに記憶しておき、このメモリーカードなどの外部記憶媒体から構内交換機の記憶手段に書き込むようにした構内交換機も知られている（例えば、特許文献１参照）。
【０００３】
【特許文献１】
特開平１−３０９４９３号公報
【０００４】
【発明が解決しようとする課題】
しかしながら上記従来の構内交換機では、メモリーカードから設定パラメータデータを読み込んで構内交換機内部の記憶手段に記憶することができるもの、メモリーカードに変更された設定パラメータを書き込むことができなかった。更に、設定パラメータデータに変更があるたびに、メモリーカードに変更された後の設定パラメータデータを書き込むようにした場合、メモリーカード等の外部記憶媒体ドライブの使用時間が長くなり、外部記憶媒体ドライブの寿命を長く保つことが困難になる課題があった。
【０００５】
本発明は、上記従来の課題に鑑み、外部記憶媒体に変更された設定パラメータを書き込むことができ、また外部記憶媒体ドライブの寿命を長く保つことができる構内交換機を提供することを目的とする。
【課題を解決するための手段】
本発明は上記従来の課題を解決するために、外部記憶媒体へファイルデータの書き込み可能な記憶媒体ドライブ手段を有する構内交換機であって、設定パラメータデータを記憶する第１の記憶手段と、入力手段への操作に基づいて、設定パラメータデータの内容の変更を行うデータ処理手段と、データ処理手段により設定パラメータデータを所定量以上変更したと判定すると、第１の記憶手段に記憶された設定パラメータデータを外部記憶媒体へ記憶するデータ保存処理手段とを備えたので、外部記憶媒体に変更された設定パラメータを書き込むことができ、また外部記憶媒体ドライブの寿命を長く保つことができる構内交換機を提供することができるようになった。
【０００６】
【発明の実施の形態】
本発明の請求項１に記載の発明は、外部記憶媒体へファイルデータの書き込み可能な記憶媒体ドライブ手段を有する構内交換機であって、設定パラメータデータを記憶する第１の記憶手段と、入力手段への操作に基づいて、設定パラメータデータの内容の変更を行うデータ処理手段と、データ処理手段により設定パラメータデータを所定量以上変更したと判定すると、第１の記憶手段に記憶された設定パラメータデータを外部記憶媒体へ記憶するデータ保存処理手段とを備えたことを特徴とするものであり、外部記憶媒体に変更された設定パラメータを書き込むことができ、またコンピュータ装置３や内線電話機２の入力手段からの入力に基づいた設定パラメータデータのデータ変更要求があるごとに、記憶媒体読込／書込手段を駆動させて、外部記憶媒体に記憶させることをせずに、所定の変更量になったときに外部記憶媒体に記憶させるようにするから、記憶媒体読込／書込手段１５の寿命を長く保つことが可能になるという作用を有する。
【０００７】
本発明の請求項２に記載の発明は、請求項１に記載の発明において、データ保存処理手段は、第１の記憶手段に記憶された設定パラメータデータを外部記憶媒体へ記憶するときに、第２のファイル名で記憶した後、外部記憶媒体に記憶している第１のファイル名の設定パラメータデータを削除するとともに、第２のファイル名の設定パラメータデータを第１のファイル名にファイル名を変更することを特徴とするものであり、構内交換機内部にある揮発性メモリなどの第１の記憶手段に格納された設定パラメータデータを、外部記憶媒体に書き込むときには、外部記憶媒体に記憶された設定パラメータデータを直接上書きするのではなく、第１の記憶手段に格納された設定パラメータデータを一旦テンポラリファイル名で外部記憶媒体１４に記憶させた後に、外部記憶媒体に記憶されている設定パラメータデータを削除し、テンポラリファイル名の設定パラメータデータのファイル名を変更して外部記憶媒体１４に記憶するため、設定パラメータデータを外部記憶媒体に書き込む際に構内交換機１の電源がＯＦＦする等制御手段１８の動作が中断してしまったときでも、外部記憶媒体１４に記憶される設定パラメータデータが壊れることがないという作用を有する。
【０００８】
本発明の請求項３に記載の発明は、請求項１または請求項２に記載の発明において、データ処理手段が、外部のコンピュータ装置若しくは内線電話機に表示されたプログラミング画面から設定パラメータデータの内容変更を行ったと判定した場合、データ処理手段により設定パラメータデータを所定量以上変更しても、データ保存処理手段は、第１の記憶手段に記憶された設定パラメータデータを外部記憶媒体へ記憶しないことを特徴とするものであり、設定パラメータの設定や変更のたびごとに外部記憶媒体に書き込みすることがなく、記憶媒体読込／書込手段の寿命を長く保つことが可能になるという作用を有する。例えば、設定パラメータデータのデータ変更要求がＰＣプログラミングまたは電話機システムプログラミングであるときには、コンピュータ装置若しくは内線電話機からの設定パラメータの設定を保存する操作があるとき等に限って、設定パラメータの変更開始から保存指示まで等の内容を記憶媒体読込／書込手段を駆動させて、外部記憶媒体に記憶させることにより、記憶媒体読込／書込手段を頻繁に駆動させることを回避することができる。
【０００９】
本発明の請求項４に記載の発明は、請求項１から請求項３のいずれかに記載の発明において、データ処理手段が、外部のコンピュータ装置若しくは内線電話機に表示されたプログラミング画面から設定パラメータデータの内容変更を行ったと判定した場合、データ保存処理手段は、設定パラメータデータの内容変更の操作が終了したと判定したときに、第１の記憶手段に記憶された制御パラメータデータを外部記憶媒体へ記憶することを特徴とするものであり、例えば、設定パラメータデータのデータ変更要求がＰＣプログラミングまたは電話機システムプログラミングであるときには、コンピュータ装置若しくは内線電話機からの設定パラメータの設定や変更の操作を終了する操作があるときに限って、記憶媒体読込／書込手段を駆動させて、外部記憶媒体に記憶させることとしたので、設定パラメータの設定や変更のたびごとに外部記憶媒体に書き込みすることがなく、記憶媒体読込／書込手段の寿命を長く保つことが可能になるという作用を有する。
【００１０】
以下、本発明の実施の形態について、図面を参照しながら説明する。
【００１１】
（実施の形態１）
図１は本発明の一実施の形態を示す構内交換機システムの構成図である。
【００１２】
図１において、１は構内交換機、２は内線電話機、３はコンピュータ装置である。
【００１３】
１１ａ〜１１ｆは、内線や外線などに接続するための回線ユニットである。例えば、図１のように構内交換機１にユニット１２が接続されている場合、１１ａはアナログ電話回線に通信するためのアナログ外線インターフェイスを複数備えたアナログ外線ユにニット、１１ｂはデジタル電話回線と通信するためのデジタル外線インターフェイスを複数備えたデジタル外線ユニット、１１ｃ，ｄ，ｆは、アナログの一般電話機（Ｔ−Ｒ電話装置）と通信するためにＢＯＲＳＣＨＴ機能等を備えたアナログ内線インターフェイスを複数備えたアナログ内線ユニット、１２ｅはボタン電話機などのデジタル専用電話と２Ｂ＋Ｄ等により通信するためのデジタル内線インターフェイスを複数備えたデジタル内線ユニットである。１３は各ユニットの音声信号の接続等を行う時分割スイッチ（Ｔ−ＳＷ）、１３はコンピュータを接続するためのインターフェイス、１４はメモリーカードやＣＤ−ＲＯＭなどの持ち運び可能な外部記憶媒体、１５は外部記憶媒体１４への書き込みや外部記憶媒体１４からの読み込みの動作をする記憶手段読込／書込手段（記憶媒体ドライブ手段）であり、外部記憶媒体１４を脱着可能に構成されている。
【００１４】
１６は設定パラメータデータ等を記憶する揮発性メモリ、１７はプログラム等を記憶する不揮発性メモリ、１８は構内交換機１全体を制御する制御手段であり、記憶媒体読込／書込手段１５を駆動させ、外部記憶媒体１４へのデータの書き込みや、外部記憶媒体１４からのデータの読み込む等の制御も行う。なお、設定パラメータデータには、構内交換機１の設置の際に設置者により設定されるものであり、例えば、短縮ダイヤルや電話帳の情報、収容しているユニットの実装情報、外線グループの情報、内線グループの情報、内線番号の設定情報等がある。構内交換機１は、揮発性メモリ１６に格納された設定パラメータ等にしたがって、内線電話機の発信や着信、外線ユニットの発信や着信等の種々の制御を行う。
【００１５】
なお、制御パラメータデータファイルは揮発性メモリ１６の制御パラメータ格納領域に格納されているものの、揮発性メモリ１６は電源が供給されなくなったときには、内部に格納したデータは保持されない。構内交換機１の電源をオフすると揮発性メモリ１６に格納しているデータは、データ消去又はデータ破壊が行われることから、電源入力による立ち上げ時には、揮発性メモリ１６のデータを使用することができない。したがって、設定パラメータデータは、揮発性メモリ１６と同時に外部記憶媒体１４にも記憶されるように、制御手段１８により処理される構成を構内交換機１は備える。そして、構内交換機１の電源入力時やリセット時等に、制御手段１８により記憶手段読込／書込手段１５を介して、外部記憶媒体１４から読み込まれて、揮発性メモリ１４に書き込まれる。なお、外部記憶媒体１４への記憶処理については、後述する。このように、設定パラメータデータが構内交換機の揮発性メモリ１６に記憶されていても、構内交換機１の電源をオフで、データ消去又はデータ破壊が行われることがない。
【００１６】
１９は、コンピュータ装置３を接続するためのインターフェイスである。
【００１７】
図２は、構内交換機１の設定パラメータデータを変更するときの制御手段の機能ブロックを示したものである。
【００１８】
図２において、制御手段１８は、データ設定要求検出手段１８ａ、データ保存処理手段１８ｂ、データ設定終了検出手段１８ｃ、データ処理手段１８ｄから構成される。
【００１９】
データ設定要求検出手段１８ａは、第１のデータ設定要求検出手段１８１、第２のデータ設定要求検出手段１８２、第３のデータ設定要求検出手段１８３から構成される。
【００２０】
第１のデータ設定要求検出手段１８１は、不在者転送設定やメッセージウェイティング設定等の第１のパラメータにつき、内線電話機２から特定番号をダイヤルすること等により送信される設定要求（以下、「電話機特番プログラミング」と呼ぶ）を検出するものである。ここで、不在者転送設定とは、内線電話機から所定のダイヤル若しくは不在者設定を割り付けた機能ボタンの操作により、不在者転送設定の設定要求が構内交換機１に行われると、構内交換機１は不在者転送設定がされた内戦電話番号への着信は、設定された転送先に転送するように動作することになる。また、メッセージウェイティング設定とは、内線電話機から発信した相手先が応答しないときに、内線電話機から所定のダイヤル若しくはメッセージウェイティングを割り付けた機能ボタンの操作により、メッセージウェイティングの設定要求が構内交換機１に行われると、構内交換機１は通話中の応答しなかった内線電話機のランプを点滅するように動作し、内線電話機に返答要求をしている内線電話機が存在していることを報知する。
【００２１】
このように電話機特番プログラミングは、主に内線電話機から特別な番号のダイヤル操作や機能ボタンの操作により、構内交換機１に機能動作を要求するものである。
【００２２】
第２のデータ設定要求検出手段１８２は、第１の設定パラメータや、短縮ダイヤルや電話帳の情報、外線グループの情報、内線グループの情報、内線番号の設定情報等の第２の設定パラメータにつき、コンピュータ装置３にインストールされたプログラミングソフトを起動させて、構内交換機１のプログラミングを開始する操作や終了させる操作、コンピュータ装置３に表示されたプログラミング画面からの操作等（コンピュータ装置３に表示されたプログラミング画面からの操作（コンピュータ装置３からの「プログラミングモードでの操作」）により、コンピュータ装置３からＰＣインターフェイス１９を介して送信される設定要求（以下、「ＰＣプログラミング」と呼ぶ）を検出する。なお、このプログラミング画面は、プログラミングソフトの機能によりコンピュータ装置３に表示されるものであるが、ＰＣインターフェイス１９を介して、構内交換機１から表示画面（プログラミング画面）をコンピュータ装置３に送信し、それを受信したコンピュータ装置３で表示画面するようにしてもよい。
【００２３】
第３のデータ設定要求検出手段１８３は、内線電話機２として専用電話機を使用した場合に、この専用電話機のプログラミング画面を表示させる操作、プログラミング画面を終了させる操作、プログラミング画面からの操作に基づき、第１の設定パラメータや第２の設定パラメータの変更要求操作等（内線電話機２からの「プログラミングモードでの操作」）により内線電話機２から送信される設定要求（以下、「電話機システムプログラミング」と呼ぶ）を検出する。
【００２４】
なお、プログラミング画面とは、第１の設定パラメータや第２の設定パラメータの設定や変更がコンピュータ装置３の入力手段（図示せず）や内線電話機２の入力手段から行うことができ、入力手段からの入力は、ＰＣインターフェイス１９等を介して構内交換機１の制御手段１８に伝えられる。
【００２５】
データ保存処理手段１８ｂは、揮発性メモリ１６に格納された設定パラメータデータを、記憶媒体読込／書込手段１５を駆動させて、外部記憶媒体１４に書き込む等の制御を行う。
【００２６】
データ設定終了検出手段１８ｃは、第２のデータ設定要求検出手段１８２若しくは第３のデータ設定要求検出手段１８３によりコンピュータ装置３若しくは内線電話機２のプログラミング画面からの第１若しくは第２の設定パラメータの設定や変更が終了したかどうかを検出する。
【００２７】
データ処理手段１８ｄは、データ設定要求検出手段１８ａにより検出したパラメータデータの設定要求に基づき、揮発性メモリ１６に記憶した設定パラメータデータ領域の設定パラメータデータの変更を行ったり、変更する設定パラメータのデータ量を検出して、検出したデータ量を揮発性メモリ１６に記憶された変更量データに加算して、揮発性メモリ１６に記憶する等の処理を行う。
【００２８】
以上のように構成された構内交換機１について、図３〜図５に沿って、以下その動作を説明する。
【００２９】
図３〜５は、本発明の実施の形態１における構内交換機の設定パラメータを更新する際の動作を示すフローチャートである。
【００３０】
データ設定要求検出手段１８ａによりコンピュータ装置３や内線電話機２から設定パラメータデータのデータの変更要求を検出すると、検出した設定パラメータデータの変更要求に基づき、揮発性メモリ１６に記憶した設定パラメータデータ領域の設定パラメータデータを変更する（Ｓ１）。また、変更する設定パラメータのデータ量を検出して、揮発性メモリ１６に記憶された変更量データに、検出したデータ量を加算して、揮発性メモリ１６の変更量データ領域に揮発性メモリ１６に記憶する（Ｓ２）なお、この変更量データは、データ設定要求検出手段毎
揮発性メモリ１６の変更量データ領域に記憶される。例えば、第１のデータ設定要求検出手段１８１からの設定パラメータデータのデータの変更要求は、第１の変更量データ領域に、第２のデータ設定要求検出手段１８２からの設定パラメータデータのデータの変更要求は、第２の変更量データ領域に、第３のデータ設定要求検出手段１８３からの設定パラメータデータのデータの変更要求は、第３の変更量データ領域に記憶される。
【００３１】
一方、データ処理手段１８ｄは、データ設定要求検出手段１８ａにより検出された設定パラメータデータのデータ変更要求がＰＣプログラミングまたは電話機システムプログラミングであるかどうかを判定する（Ｓ３）。
【００３２】
データ処理手段１８ｄは、設定パラメータデータのデータ変更要求がＰＣプログラミングまたは電話機システムプログラミングでないと判定したときは、揮発性メモリ１６に記憶された第１の変更量データに、検出したデータ量を加算したときに、所定の量（閾値）以上（例えば、３２バイト）になったかどうかを判定する（Ｓ４）。変更量データが閾値以上になったと判定した場合、データ処理手段１８ｄは、データ保存処理手段１８ｂに、揮発性メモリ１６に格納された設定パラメータデータを、記憶媒体読込／書込手段１５を駆動させて、外部記憶媒体１４に書き込むように要求する（Ｓ５）とともに、揮発性メモリ１６の変更量データ領域に変更量データがない情報を記憶する。
【００３３】
データ保存処理手段１８ｂはその要求にしたがって、揮発性メモリ１６から設定パラメータデータを取り出すとともに、一時的なファイル名（ここでは、「設定パラメータ（仮）」とする）をつけて、記憶媒体読込／書込手段１５を駆動させて、外部記憶媒体１４に書き込む（Ｓ６）。
【００３４】
外部記憶媒体１４に一時的なファイル名をつけた設定パラメータデータの書き込みが終わると、データ保存処理手段１８ｂは、記憶媒体読込／書込手段１５を駆動させて、外部記憶媒体１４に記憶されているファイル名「設定パラメータ」の設定パラメータデータ（一時的なファイル名をつけたものでないもの）を削除する（Ｓ７）。その後、データ保存処理手段１８ｂは、記憶媒体読込／書込手段１５を駆動させて、外部記憶媒体１４に記憶されているファイル名「設定パラメータ（仮）」の設定パラメータデータのファイル名を「設定パラメータ」に変更する（Ｓ８）。
【００３５】
また、Ｓ２でデータ処理手段１８ｄが設定パラメータデータのデータ変更要求がＰＣプログラミングまたは電話機システムプログラミングであると判定したときや、Ｓ４で変更量データが閾値以上になったと判定しなかった場合には、そのままデータ設定処理を終了する。
【００３６】
なお、変更量データの閾値は、構内交換機１の利用者または設置者によって自由に設定することも可能である。この場合、コンピュータ装置３や内線電話機２からのＰＣプログラミングや電話機プログラミングの操作により、閾値に関する設定パラメータを変更することにより行う。
【００３７】
また、設定パラメータデータのファイルは、複数のファイルから構成されるようにしてもよく（例えば、共通部分のパラメータ、内線ユニットのパラメータ等に分けて）、この場合には変更があった設定パラメータに関係するファイルのみを外部記憶媒体１４に記憶するようにすれば、外部記憶媒体１４に書き込むデータ量が減り、結果的に記憶媒体読込／書込手段１５の寿命を長く保つことが可能になる。ただし、設定パラメータデータは、複数の個所（例えば、本体の部分と、内線ユニットの部分の双方）を変更しなければ、構内交換機１を正常に動かせないような場合には、一つのファイルとして取り扱うことが望ましい。このようにすれば、複数のファイルから構成した場合のファイル間の関連性を考慮する必要がないから、開発作業の効率化が可能となる。
【００３８】
以上のように、設定パラメータデータのデータ変更要求がＰＣプログラミングまたは電話機システムプログラミング以外（電話機特番プログラミング）であるときには、設定パラメータデータのデータ変更要求があるごとに、記憶媒体読込／書込手段１５を駆動させて、外部記憶媒体１４に記憶させず、所定の変更量になったときに外部記憶媒体１４に記憶させるようにするから、記憶媒体読込／書込手段１５の寿命を長く保つことが可能になる。
【００３９】
また、揮発性メモリ１６に格納された設定パラメータデータを、外部記憶媒体１４に書き込むときには、外部記憶媒体１４に記憶された設定パラメータデータを直接上書きするのではなく、揮発性メモリ１６に格納された設定パラメータデータを一旦テンポラリファイル名で外部記憶媒体１４に記憶させた後に、外部記憶媒体１４に記憶されている設定パラメータデータを削除し、テンポラリファイル名の設定パラメータデータのファイル名を変更して外部記憶媒体１４に記憶するため、設定パラメータデータを外部記憶媒体１４に書き込む際に構内交換機１の電源がＯＦＦする等制御手段１８の動作が中断してしまったときでも、外部記憶媒体１４に記憶される設定パラメータデータが壊れることがない。
【００４０】
次に、コンピュータ装置３若しくは内線電話機２からのプログラミング画面からの第１若しくは第２の設定パラメータの設定や変更が終了した場合の動作について図４に沿って説明する。
【００４１】
データ設定終了検出手段１８ｃが、第２のデータ設定要求検出手段１８２若しくは第３のデータ設定要求検出手段１８３から、コンピュータ装置３若しくは内線電話機２からのプログラミング画面からの第１若しくは第２の設定パラメータの設定や変更の操作を終了する操作（プログラムの終了操作）を検出し、ＰＣプログラミングや電話機システムプログラミングが終了したと判定すると、データ処理手段１８ｄは、データ保存処理手段１８ｂに、揮発性メモリ１６に格納された設定パラメータデータを、記憶媒体読込／書込手段１５を駆動させて、外部記憶媒体１４に書き込むように要求し、データ保存処理手段１８ｂはその要求にしたがって、揮発性メモリ１６から設定パラメータデータを取り出して、外部記憶媒体１４に書き込む（Ｓ９）。なお、設定パラメータデータを外部記憶媒体１４に記憶する具体的な処理については、Ｓ６〜８と同様の手順であるため省略する。
【００４２】
以上のように、設定パラメータデータのデータ変更要求がＰＣプログラミングまたは電話機システムプログラミングであるときには、コンピュータ装置３若しくは内線電話機２からの設定パラメータの設定や変更の操作を終了する操作があるときに限って、記憶媒体読込／書込手段１５を駆動させて、外部記憶媒体１４に記憶させることとしたので、設定パラメータの設定や変更のたびごとに外部記憶媒体１４に書き込みすることがなく、記憶媒体読込／書込手段１５の寿命を長く保つことが可能になる。すなわち、コンピュータ装置３若しくは内線電話機２から設定パラメータの設定や変更の操作の開始後、設定パラメータの設定終了の操作までの間は、設定パラメータが設定、変更される可能性があるため、外部記憶媒体１４への書き込みは控えておき、設定パラメータの設定終了の操作があったときに設定変更開始から終了までの間に設定変更された設定パラメータを外部記憶媒体１４に一括して保存することができるため、記憶媒体読込／書込手段１５を設定変更のたびに頻繁に駆動させることがなくなるとともに、制御手段１８の外部記憶媒体１４の書き込み処理が最低限ですむため、制御手段１８の負荷を低減することが可能となる。
【００４３】
次に、コンピュータ装置３若しくは内線電話機２からのプログラミング画面からの第１若しくは第２の設定パラメータの保存指示があった場合の動作について図５に沿って説明する。
【００４４】
データ設定終了検出手段１８ｃが、第２のデータ設定要求検出手段１８２若しくは第３のデータ設定要求検出手段１８３から、コンピュータ装置３若しくは内線電話機２からの設定パラメータの設定の保存を要求する操作（保存指示）を検出すると、データ処理手段１８ｄは、揮発性メモリ１６の第２若しくは第３の変更量データ量領域に記憶された変更量データを取り出す（Ｓ１０）。そして、データ処理手段１８ｄは、揮発性メモリ１６から取り出した変更量データあるかどうかを判定する（Ｓ１１）。
【００４５】
データ処理手段１８ｄが、揮発性メモリ１６から取り出した変更量データがあると判定すると、揮発性メモリ１６の変更量データ領域に変更量データがない情報を記憶（変更量データをクリア）し（Ｓ１２）、データ保存処理手段１８ｂに、揮発性メモリ１６に格納された設定パラメータデータを、記憶媒体読込／書込手段１５を駆動させて、外部記憶媒体１４に書き込むように要求し、データ保存処理手段１８ｂはその要求にしたがって、揮発性メモリ１６から設定パラメータデータを取り出して、外部記憶媒体１４に書き込む（Ｓ１３）。なお、設定パラメータデータを外部記憶媒体１４に記憶する具体的な処理については、Ｓ６〜８と同様の手順であるため省略する。
【００４６】
なお、以上では、設定パラメータデータの変更量（変更量データ）に基づいて、外部記憶媒体１４に設定パラメータを記憶させるようにしたが、変更量データではなく、データ設定回数に基づいて、外部記憶媒体１４に設定パラメータを記憶させるようにしてもよい。この場合、上述のフローでは、上述の変更量データをデータ設定回数に替えることになるが、基本的に動作は同じであるため詳細な動作は、省略する。また、データ変更量とデータ設定回数との組み合わで、外部記憶媒体１４に設定パラメータを記憶させるようにしてもよく、例えば、第１のデータ設定要求検出手段１８１による設定変更要求の場合には、データの変更量に、第２、３データ設定要求検出手段１８２，１８３による設定変更要求の場合には、データ設定回数に基づいて外部記憶媒体１４に設定パラメータを記憶させることも可能である。
【００４７】
以上のように、設定パラメータデータのデータ変更要求がＰＣプログラミングまたは電話機システムプログラミングであるときには、コンピュータ装置３若しくは内線電話機２からの設定パラメータの設定を保存する操作があるときに、記憶媒体読込／書込手段１５を駆動させて、外部記憶媒体１４に記憶させることとしたので、設定パラメータの設定や変更のたびごとに外部記憶媒体１４に書き込みすることがなく、記憶媒体読込／書込手段１５の寿命を長く保つことが可能になる。
【００４８】
【発明の効果】
本発明は、外部記憶媒体へファイルデータの書き込み可能な記憶媒体ドライブ手段を有する構内交換機であって、設定パラメータデータを記憶する第１の記憶手段と、入力手段への操作に基づいて、設定パラメータデータの内容の変更を行うデータ処理手段と、データ処理手段により設定パラメータデータを所定量以上変更したと判定すると、第１の記憶手段に記憶された設定パラメータデータを外部記憶媒体へ記憶するデータ保存処理手段とを備えたので、外部記憶媒体に変更された設定パラメータを書き込むことができ、またコンピュータ装置３や内線電話機２の入力手段からの入力に基づいた設定パラメータデータのデータ変更要求があるごとに、記憶媒体読込／書込手段１５を駆動させて、外部記憶媒体に記憶させることをせずに、所定の変更量になったときに外部記憶媒体に記憶させるようにするから、記憶媒体読込／書込手段１５の寿命を長く保つことが可能になる。
【図面の簡単な説明】
【図１】本発明の実施の形態１における構内交換機システムの構成図
【図２】本発明の実施の形態１における構内交換機１の設定パラメータデータを変更するときの制御手段の機能ブロック図
【図３】本発明の実施の形態１における構内交換機の設定パラメータを更新する際の動作を示すフローチャート
【図４】本発明の実施の形態１における構内交換機の設定パラメータを更新する際の動作を示すフローチャート
【図５】本発明の実施の形態１における構内交換機の設定パラメータを更新する際の動作を示すフローチャート
【符号の説明】
１  構内交換機
２  内線電話機
３  コンピュータ装置
１１  ユニット
１３  時分割スイッチ
１４  外部記憶媒体
１５  記憶媒体読込／書込手段
１６  揮発性メモリ
１７  不揮発性メモリ
１８  制御手段
１８ａ  データ設定要求検出手段
１８ｂ  データ保存処理手段
１８ｃ  データ設定終了検出手段
１８ｄ  データ処理手段
１９  ＰＣインターフェイス
【図１】
2004282588.tif 000003
【図２】
2004282588.tif 000004
【図３】
2004282588.tif 000005
【図４】
2004282588.tif 000006
【図５】
2004282588.tif 000007